(57)【要約】  【課題】  電池切れ時などにおける機能性を考慮した電動シャッター制御装置を提供する。  【解決手段】  住宅の窓外面に設置された電動シャッターを制御するための制御装置２である。この制御装置２は、電池３を電源として機能するタイマ４による第一制御スイッチ手段５、６と、前記電池３とは無関係に機能する第二制御スイッチ手段７、８、９とを併せ備え、第一制御スイッチ手段５、６は第二制御スイッチ手段７、８に各々並列的に接続されている。また、タイマ４をON/OFFするスイッチ１０を設けている。そして、第一制御スイッチ手段５、６はトランジスタなどの半導体スイッチ素子からなり、第二制御スイッチ手段７、８、９は常開型押ボタン式などの機械的スイッチからなる。【選択図】  図１
2005171491.tif 000002
【特許請求の範囲】
【請求項１】
電動シャッターを制御するための電動シャッター制御装置であって、電池を電源として機能するタイマによる第一制御スイッチ手段と、前記電池とは無関係に機能する第二制御スイッチ手段とを併せ備え、第一制御スイッチ手段は第二制御スイッチ手段に並列的に接続された電動シャッター制御装置。
【請求項２】
請求項１において、タイマをON/OFFするスイッチを設けた電動シャッター制御装置。
【請求項３】
請求項１または２において、第一制御スイッチ手段は半導体スイッチ素子からなり、第二制御スイッチ手段は機械的スイッチからなる電動シャッター制御装置。
【発明の詳細な説明】
【技術分野】
【０００１】
本発明は、住宅の窓などに使用される電動シャッターを制御する装置に関する。
【背景技術】
【０００２】
特許文献１には、電動シャッターを開閉するために住宅の内壁に設置される制御装置が示され、手動による開閉機能とタイマによる開閉機能を併設することが一応開示されている。
【特許文献１】特開２０００−４５６６１号公報
【発明の開示】
【発明が解決しようとする課題】
【０００３】
しかし、手動による開閉機能とタイマによる開閉機能とは、手動・タイマの切り替えボタンにて排他的に使用可能とされている。そうすると、在宅中もタイマモードとしている場合、タイマ動作時刻以外の時刻にシャッターを開閉したい時は、手動・タイマの切り替えボタンを操作して手動モードにしてから、開閉切り替えボタンを操作する必要があるし、タイマモードに戻したい場合には再び手動・タイマの切り替えボタンを操作する必要がある。また、手動時の開閉切り替えボタンによる出力とタイマによる出力がどのように配線されているのか不明である。さらに、タイマは電気式タイマか機械式タイマか不明であり、電気式タイマであるとしても電源として何を使用しているか不明である。本発明では、電池を電源としたタイマを設けた上で、電池切れ時などにおける機能性を考慮した電動シャッター制御装置を提供することを目的とする。
【課題を解決するための手段】
【０００４】
本発明を要約すると、電動シャッターを制御するための電動シャッター制御装置であって、電池を電源として機能するタイマによる第一制御スイッチ手段と、前記電池とは無関係に機能する第二制御スイッチ手段とを併せ備え、第一制御スイッチ手段は第二制御スイッチ手段に並列的に接続された電動シャッター制御装置である。
【発明の効果】
【０００５】
本発明によれば、電池寿命が到来したためにタイマによる第一制御スイッチ手段が不能になっても、電池とは無関係に機能する第二制御スイッチ手段によるシャッターの制御は可能であり、しかも何らの機能切り替えの必要なく、第二制御スイッチ手段を機能できる。
【発明を実施するための最良の形態】
【０００６】
次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。
【０００７】
図示の実施形態は、住宅の窓外面に設置された電動シャッター１と、この電動シャッター１を制御するための制御装置２を示す。この制御装置２は、電池３を電源として機能するタイマ４による第一制御スイッチ手段５、６と、前記電池３とは無関係に機能する第二制御スイッチ手段７、８、９とを併せ備え、第一制御スイッチ手段５、６は第二制御スイッチ手段７、８に各々並列的に接続されている。また、タイマ４をON/OFFするスイッチ１０を設けている。そして、第一制御スイッチ手段５、６はトランジスタなどの半導体スイッチ素子からなり、第二制御スイッチ手段７、８、９は常開型押ボタン式などの機械的スイッチからなる。
【０００８】
さらに詳述すれば、制御装置２は部屋内の壁などに埋め込んで取り付けられ、制御装置２からの制御線１１は電動機Ｍを含む電動機コントローラ１２に接続されている。電動機コントローラ１２は商用電源１３を電源とし、制御装置２からの制御信号で電動機Ｍが回転されると、図示されない伝達機構を介してシャッター１が巻き上げ・巻き下げによって開閉される。
【０００９】
制御装置２についてさらに述べると、前記制御線１１は４線式であり、互いに並列の端子群１４、１４のいずれかに接続される。残りの端子群１４は予備端子である。第二制御スイッチ手段７、８、９は開スイッチ７、閉スイッチ８、停スイッチ９にそれぞれ対応し、各スイッチを押すと各スイッチが閉じられることによる開信号、閉信号、停信号が制御線１１に出力され、手動操作によるシャッター１の開、閉、停止がそれぞれ可能となる。一方、タイマ４は通例のように、マイクロプロセッサ及び周辺回路などを内蔵しており、タイマ４のためのスイッチとしては、前記タイマON/OFFスイッチ１０の他に、通常動作モード・現在時刻設定モード・開閉時刻設定モードなどを順に切り替えるモードスイッチ、時を設定する時スイッチ、分を設定する分スイッチなどを備える。また、現在時刻・タイマ開閉時刻などを表示する液晶表示部(ＬＣＤ)を備えている。タイマ４による開または閉時刻が到来すると、前記マイクロプロセッサは半導体スイッチ素子である第一制御スイッチ手段５または６に制御信号を出力し、第一制御スイッチ手段５または６は閉回路を形成して、開スイッチ７、閉スイッチ８を閉じた時と同じ信号を端子群１４を介して制御線１１に出力し、シャッター１が開または閉動作する。なお、停スイッチ９にはタイマ４に基づく並列的な閉信号は加わらない。
【００１０】
本実施形態によれば、電池３の寿命が到来したためにタイマ４による第一制御スイッチ手段５、６が不能になっても、電池３とは無関係に機能する第二制御スイッチ手段７、８、９によるシャッター１の制御は可能であり、しかも何らの機能切り替えの必要なく、第二制御スイッチ手段７、８、９を機能できる。さらに、この制御装置２は、商用電源から配線を取り込む必要がないので、施工が容易であるとともに設置場所に制限を受けにくくなる上、既設の手動操作スイッチのみによる制御装置を本制御装置２に置き換えるのが容易になる。また、タイマ４をON/OFFするスイッチ１０を押すたびに、タイマ４による第一制御スイッチ手段５、６が機能しないモードと、タイマ４による第一制御スイッチ手段５、６が機能するモードとが切り替えられ、殊に、タイマ４による第一制御スイッチ手段５、６を機能させておくと、タイマモードによるシャッター１の開閉制御と、第二制御スイッチ手段７、８、９の手動によるシャッター１の開閉制御とを併用できるため、タイマモードが機能していてもタイマ動作時刻以外の時刻にシャッター１を開閉したい場合は、単に、第二制御スイッチ手段７、８を操作すればよいため、操作が至って簡単である。
【図面の簡単な説明】
【００１１】
【図１】本発明の実施形態による制御装置の回路ブロック図
【図２】同制御装置の外観を示す概略正面図
【図３】同制御装置及び電動シャッターなどを示す外観図
【符号の説明】
【００１２】
１  電動シャッター
２  制御装置
３  電池
４  タイマ
５、６  第一制御スイッチ手段(半導体スイッチ素子)
７、８、９  第二制御スイッチ手段(機械的スイッチ)
１０  タイマON/OFFスイッチ
【図１】
2005171491.tif 000003
【図２】
2005171491.tif 000004
【図３】
2005171491.tif 000005